(57)【要約】【課題】乗りかご内から透光部を容易に着脱でき、かつ、意匠性の高い照明装置を提供する。【解決手段】エレベータ照明装置１は、かごの内部を照らす発光部１０、透光部２０、支持ケース３０、ロック機構４０、および、カバー部５０を有する。透光部２０は、発光部１０の下側に配置されて、発光部１０からの光を下方に透過させる。支持ケース３０は、透光部２０の端部に配置されて、透光部２０の延長上を水平に移動可能に天井９０に対して取り付けられて、透光部２０を着脱可能に支持している。ロック機構４０は、支持ケース３０の透光部２０とは反対側に設置されて、支持ケース３０の移動を制限する。カバー部５０は、ロック機構４０の下側に配置されて、ロック機構４０を下方から覆っている。【選択図】図１０
2011068450.tif 000002
【特許請求の範囲】
【請求項１】
エレベータの乗りかごの天井に対して取り付けられて、前記乗りかごの内部を照らす発光部と、
直線的に延びて、前記発光部の下側に水平に配置されて、前記発光部からの光を下方に透過させる透光部と、
前記透光部の端部に配置されて、前記透光部の延長上を水平に移動可能に前記天井に対して取り付けられて、前記透光部を着脱可能に支持する支持ケースと、
前記支持ケースの前記透光部とは反対側に設置されて、前記支持ケースの移動を制限可能なロック機構と、
前記ロック機構の下側に配置されて、前記天井に対して着脱可能に取り付けられて、前記ロック機構を下方から覆うカバー部と、
を具備したエレベータ照明装置であって、
前記支持ケースは、前記透光部の端部が挿入されて前記透光部を支持する支持位置と前記透光部の端部が挿入されないように前記透光部から離れた開放位置との間を移動可能であり、
前記ロック機構は、下方からの操作により上下に移動可能に設けられたねじ、および、前記ねじの上下移動に伴って前記支持ケースに当接することにより前記支持ケースを前記支持位置に制限するロック位置と前記支持ケースに当接しないように前記支持ケースから離れた解除位置との間を移動可能なロック部を有すること、
を特徴としたエレベータ照明装置。
【請求項２】
前記ロック部は、上端が前記天井に接続されて下端が前記ねじに接続されて中間部が折り曲げ可能なリンク部材であって、前記ねじの上方移動に伴って前記リンク部材が折り曲がることにより、前記リンク部材の中間部が前記解除位置から前記ロック位置に移動することを特徴とした請求項１に記載のエレベータ照明装置。
【請求項３】
前記ロック部は、上端が前記天井に接続されて下端が前記ねじに接続された板ばねであって、前記ねじの上方移動に伴って前記板ばねが湾曲することにより、前記板ばねの中間部が前記解除位置から前記ロック位置に移動することを特徴とした請求項１に記載のエレベータ照明装置。
【請求項４】
前記ロック機構は、上端が前記天井に接続されて上端を中心に回転可能なステーであって、前記ねじの上方移動に伴って前記ねじが前記ステーの中間部を押すことにより、前記ステーの下端が前記解除位置から前記ロック位置に移動することを特徴とした請求項１に記載のエレベータ照明装置。
【請求項５】
前記ロック機構は、下端が前記ねじに接続されて上端が前記支持ケースに近づく方向に折り曲げられたコイル状の弾性体であって、前記ねじの上方移動に伴って前記コイル状の弾性体の上端が前記解除位置から前記ロック位置に移動することを特徴とした請求項１に記載のエレベータ照明装置。
【請求項６】
前記支持ケースの前記透光部とは反対側の端部には、切り欠きが形成されていて、
前記ロック機構は、一端が前記ねじに接続されて前記支持ケースの前記透光部とは反対側の端部までに水平に延びたストッパであって、前記ねじの上下移動に伴って前記ストッパの他端が前記切り欠きに対応した位置に移動することにより、前記支持ケースを前記開放位置に移動可能にすること、
を特徴とした請求項１に記載のエレベータ照明装置。
【発明の詳細な説明】
【技術分野】
【０００１】
本発明は、エレベータの乗りかごの天井に取り付けられるエレベータ照明装置に関する。
【背景技術】
【０００２】
エレベータの乗りかごの天井には、乗りかごの内部を照らすための照明装置が取り付けられている。照明装置は、天井に固定された発光部（例えば、蛍光灯）、および、その発光部を下方から覆うカバー（透光部）を有している。
【０００３】
従来、発光部の交換作業は、天井に設けられた点検口を開けて、乗りかごの上部から行われていた。しかし、近年、作業の安全性および乗りかごの上部の省スペース化などの観点から、発光部の交換作業は、乗りかごの上部から行われるようになってきている。そのため、カバーは、乗りかごの内部から着脱可能、若しくは、開閉可能となっている（例えば、特許文献１および２を参照）。
【先行技術文献】
【特許文献】
【０００４】
【特許文献１】特開平７−２２８４４１号公報
【特許文献２】特開平１０−７３４９号公報
【発明の概要】
【発明が解決しようとする課題】
【０００５】
上述の通り、発光部の交換作業時は、乗りかご内から透光部を着脱して行われ、加えて、この着脱作業が容易になることが望まれている。一方、照明装置において、その意匠性は重要であり、着脱作業が容易な構造であっても、意匠性を低下させることはできない。
【０００６】
そこで、本発明は、上述の課題を解決するためになされたものであり、乗りかご内から透光部を容易に着脱でき、かつ、意匠性の高いエレベータ照明装置を提供することを目的とする。
【課題を解決するための手段】
【０００７】
上記の目的を達成するために、本発明に係るエレベータ照明装置は、エレベータの乗りかごの天井に対して取り付けられて、前記乗りかごの内部を照らす発光部と、直線的に延びて、前記発光部の下側に水平に配置されて、前記発光部からの光を下方に透過させる透光部と、前記透光部の端部に配置されて、前記透光部の延長上を水平に移動可能に前記天井に対して取り付けられて、前記透光部を着脱可能に支持する支持ケースと、前記支持ケースの前記透光部とは反対側に設置されて、前記支持ケースの移動を制限可能なロック機構と、前記ロック機構の下側に配置されて、前記天井に対して着脱可能に取り付けられて、前記ロック機構を下方から覆うカバー部と、を具備したエレベータ照明装置であって、前記支持ケースは、前記透光部の端部が挿入されて前記透光部を支持する支持位置と前記透光部の端部が挿入されないように前記透光部から離れた開放位置との間を移動可能であり、前記ロック機構は、下方からの操作により上下に移動可能に設けられたねじ、および、前記ねじの上下移動に伴って前記支持ケースに当接することにより前記支持ケースを前記支持位置に制限するロック位置と前記支持ケースに当接しないように前記支持ケースから離れた解除位置との間を移動可能なロック部を有することを特徴とする。
【発明の効果】
【０００８】
本発明によれば、乗りかご内から透光部を容易に着脱でき、かつ、意匠性の高いエレベータ照明装置を提供できる。
【図面の簡単な説明】
【０００９】
【図１】本発明の第１の実施形態に係るエレベータ照明装置がエレベータの乗りかごの天井に取り付けられた状態を示した斜視図である。
【図２】図１の平面図（下面図）である。
【図３】図２のIII−III矢視概略断面図である。
【図４】図２のIV−IV矢視断面図である。
【図５】図２のV−V矢視概略断面図である。
【図６】本発明の第１の実施形態に係るエレベータ照明装置の透光部を示した斜視図である。
【図７】本発明の第１の実施形態に係るエレベータ照明装置の支持ケースを示した斜視図である。
【図８】本発明の第１の実施形態に係るエレベータ照明装置のカバー部を示した斜視図である。
【図９】図２のIX−IX矢視断面図である。
【図１０】図２のX−X矢視断面図であって、エレベータ照明装置の使用状態を示した図である。
【図１１】図２のX−X矢視断面図であって、透光部の着脱作業状態を示した図である。
【図１２】本発明の第２の実施形態に係るエレベータ照明装置を説明するための図であって、図１０と同様にエレベータ照明装置の使用状態を示した断面図である。
【図１３】本発明の第２の実施形態に係るエレベータ照明装置を説明するための図であって、図１１と同様に透光部の着脱作業状態を示した断面図である。
【図１４】本発明の第３の実施形態に係るエレベータ照明装置を説明するための図であって、図１０と同様にエレベータ照明装置の使用状態を示した断面図である。
【図１５】本発明の第３の実施形態に係るエレベータ照明装置を説明するための図であって、図１１と同様に透光部の着脱作業状態を示した断面図である。
【図１６】本発明の第４の実施形態に係るエレベータ照明装置を説明するための図であって、図１０と同様にエレベータ照明装置の使用状態を示した断面図である。
【図１７】本発明の第４の実施形態に係るエレベータ照明装置を説明するための図であって、図１１と同様に透光部の着脱作業状態を示した断面図である。
【図１８】本発明の第５の実施形態に係るエレベータ照明装置を説明するための図であって、図１０と同様にエレベータ照明装置の使用状態を示した断面図である。
【図１９】本発明の第５の実施形態に係るエレベータ照明装置を説明するための図であって、図１１と同様に透光部の着脱作業状態を示した断面図である。
【図２０】本発明の第６の実施形態に係るエレベータ照明装置がエレベータの乗りかごの天井に取り付けられた状態を示した平面図（下面図）である。
【図２１】本発明の第６の実施形態に係るエレベータ照明装置を説明するための図であって、図１０と同様にエレベータ照明装置の使用状態を示した断面図である。
【図２２】本発明の第６の実施形態に係るエレベータ照明装置を説明するための図であって、図１１と同様に透光部の着脱作業状態を示した断面図である。
【図２３】図２１のXXIII−XXIII矢視断面図である。
【発明を実施するための形態】
【００１０】
［第１の実施形態］
本発明に係るエレベータ照明装置の第１の実施形態について、図１ないし図１１を用いて説明する。
【００１１】
本実施形態に係るエレベータ照明装置１の構造の概略について、図１ないし図５を用いて説明する。図１は、本発明の第１の実施形態に係るエレベータ照明装置がエレベータの乗りかごの天井に取り付けられた状態を示した斜視図である。図２は、図１の平面図（下面図）である。図３は、図２のIII−III矢視概略断面図である。図４は、図２のIV−IV矢視断面図である。図５は、図２のV−V矢視概略断面図である。
【００１２】
エレベータは、床（図示しない。）、天井９０、および、側面９１を形成する側板に囲まれた乗りかごを有する。本実施形態に係るエレベータ照明装置（以下、単に「照明装置」という。）１は、発光部１０、透光部２０、支持ケース３０、ロック機構４０、カバー部７０、パネル８０を有し、乗りかごの天井９０に取り付けられ、乗りかごの内部を照らす。
【００１３】
パネル８０は、例えばアルミニウム等の金属からなり、直線的に延びた中空の略直方体に形成されている。パネル８０は、底面を形成する１枚の平面部８１、側面を形成して互いに対向する２枚の側面部８２、および、端面を形成して互いに対向する２枚の端面部８３を有している。エレベータ照明装置１は、４枚のパネル８０を有していて、４枚のパネル８０は、互いに間隔を空けて並行して配置され、ボルト（図示しない。）により天井９０に固定されている。
【００１４】
発光部１０は、例えば直管形の蛍光灯であって、本実施形態では、３本の蛍光灯は、それぞれ４枚のパネル８０の３つの間隔にパネル８０と並行して配置され、天井９０に着脱可能に固定されている。発光部１０は、乗りかごの内部を照らすためのものであり、例えば白熱灯やＬＥＤ等であっても良い。
【００１５】
透光部２０は、発光部１０からの光を透過させることができる部材、例えばアクリルからなり、直線的に延びた略直方体に形成されている。本実施形態では、３本の透光部２０は、それぞれ４枚のパネル８０の３つの間隔に配置され、支持ケース３０により着脱可能に支持されている。透光部２０は、発光部１０の下側に発光部１０と並行して配置され、発光部１０を下方から保護し、照明装置１の意匠性を向上させる役割を果たす。
【００１６】
支持ケース３０は、例えばアルミニウム等の金属からなり、４枚のパネル８０の３つの間隔毎に２つずつ設けられている。２つの支持ケース３０は、透光部２０の両側の端部２１に配置されて、透光部２０の延長上を水平に平行移動可能となるように天井９０に対して取り付けられている。支持ケース３０は、透光部２０を着脱可能に支持する役割を果たす。
【００１７】
ロック機構４０は、４枚のパネル８０の３つの間隔毎に２つずつ設けられている。ロック機構４０は、支持ケース３０の透光部２０とは反対側に設置されていて、天井９０に対して固定されている。ロック機構４０は、支持ケース３０の移動を制限する役割を果たす。
【００１８】
カバー部７０は、例えばアルミニウム等の金属からなり、４枚のパネル８０の３つの間隔毎に２つずつ設けられている。カバー部７０は、支持ケース３０の透光部２０とは反対側で、かつ、ロック機構４０の下側に配置されて、天井９０に対して着脱可能に取り付けられている。カバー部７０は、ロック機構４０を下方から覆って、照明装置１の意匠性を向上させる役割を果たす。
【００１９】
本実施形態に係るエレベータ照明装置１の構造の詳細について、図６ないし図１１を用いて説明する。図６は、本発明の第１の実施形態に係るエレベータ照明装置の透光部を示した斜視図である。図７は、本発明の第１の実施形態に係るエレベータ照明装置の支持ケースを示した斜視図である。図８は、本発明の第１の実施形態に係るエレベータ照明装置のカバー部を示した斜視図である。図９は、図２のIX−IX矢視断面図である。図１０は、図２のX−X矢視断面図であって、エレベータ照明装置の使用状態を示した図である。図１１は、図２のX−X矢視断面図であって、透光部の着脱作業状態を示した図である。
【００２０】
支持ケース３０は、図７に示したように、底面を形成する１枚の平面部３１、側面を形成して互いに対向する２枚の側面部３２、および、一端面を形成する１枚の端面部３３を有している。
【００２１】
支持ケース３０の２枚の側面部３２のそれぞれには、水平方向に延びた２つのピン挿入孔３５，３６が形成されている。ピン挿入孔５５，５６には、図９に示したように、隣接したパネル６０の側面部６２から突出した２本のピン６５，６６がそれぞれ挿入されている。このようにして、支持ケース３０は、水平方向に平行移動可能な状態で、天井９０に対してパネル６０を介して取り付けられている。
【００２２】
透光部２０の端部２１は、図１０に示したように、支持ケース３０に挿入されて、支持ケース３０の平面部３１の一端に載置されている。このようにして、透光部２０は、支持ケース３０に支持されている。
【００２３】
上述の通り、支持ケース３０は、透光部２０の端部２１が挿入されるように透光部２０に近づいた位置（以下、「支持位置」という。）と透光部２０の端部２１が挿入されるように透光部２０から離れた位置（以下、「開放位置」という。）との間を移動可能である。透光部２０は、支持ケース３０が支持位置にある場合には支持されて（図１０）、支持ケース３０が開放位置にある場合には支持されずに取り外される（図１１）。
【００２４】
ロック機構４０は、ホルダ４１、ねじ５０、および、ロック部としてのリンク部材５２を有している。
【００２５】
ホルダ４１は、上面を形成する上面部４２、下面を形成する下面部４３、側面を形成して互いに対向する２枚の側面部４４、および、一端面を形成する端面部４５を有し、天井９０に固定されている。ホルダ４１の下面部４３には、貫通孔４６が形成されている。また、ホルダ４１の下面部４３の内面には、ねじ穴部４７が固定されている。ねじ穴部４７には、ねじ５０が螺合可能なねじ穴４８が形成されている。
【００２６】
ねじ５０は、上方に向かって、ホルダ４１の下面部４３の貫通孔４６を貫通し、ねじ穴部４７のねじ穴４８に螺合している。すなわち、ねじ４８は、下方からの回転操作により上下に移動可能にホルダ４１に保持されている。
【００２７】
リンク部材５２は、その中間部５３が一方向に折り曲げ可能に形成された棒体である。リンク部材５２は、その上端５４が止め具５７を介してホルダ４１の上面部４２に回動可能に接続されて、下端５５が止め具５８を介してねじ５０の先端に回動可能に接続されている。
【００２８】
図１０に示したように、ねじ５０を上方に移動させた状態では、リンク部材５２の中間部５３は、支持位置にある支持ケース３０の端面部３３付近（以下、「ロック位置」という。）に位置している。一方、図１１に示したように、ねじ５０を下方に移動させた状態では、リンク部材５２の中間部５３は、開放位置にある支持ケース３０の端面部３３付近（以下、「解除位置」という。）に位置している。すなわち、ねじ５０の上方移動に伴って、リンク部材５２が折り曲がって、リンク部材５２の中間部５３が解除位置からロック位置に移動する。
【００２９】
リンク部材５２の中間部５３がロック位置にある場合には、支持ケース３０は、リンク部材５２の中間部５３が支持ケースの端面部３３に当接することにより、支持位置に拘束されて、開放位置への移動が制限されている。一方、リンク部材５２の中間部５３が解除位置にある場合には、支持ケース３０は、支持位置と開放位置との間を移動可能となっている。
【００３０】
カバー部７０は、例えばアルミニウム等の金属からなり、中空の略直方体に形成されている。カバー部７０は、底面を形成する１枚の平面部７１、側面を形成して互いに対向する２枚の側面部７２、および、一端面を形成する１枚の端面部７３を有している。
【００３１】
カバー部７０の２枚の側面部７２のそれぞれには、爪７４が形成されている。カバー部７０の爪７４が隣接したパネル８０の側面部８２に形成された引掛け孔８４に引っ掛けられることにより、カバー部７０は、パネル８０を介して天井９０に対して着脱可能に取り付けられる。
【００３２】
本実施形態に係るエレベータ照明装置１の透光部２０の着脱作業方法について、図９および図１０を用いて説明する。
【００３３】
照明装置１の使用状態においては、支持ケース３０は、支持位置にあって、透光部２０を支持し、ロック部５２は、ロック位置にあって、支持ケース３０の移動を制限している。ここで、照明装置１の発光部（蛍光灯）１０を交換する場合には、透光部２０を取り外す必要がある。
【００３４】
まず、かご内の作業者は、カバー部７０を取り外して、冶具（例えば、スクリュードライバ）９３を用いてねじ５０を回転させて、ねじ５０を下方に移動させる。これに伴って、ロック部５２はロック位置から解除位置に移動する。その後、作業者は、支持ケース３０を支持位置から開放位置に移動させて、透光部２０を取り外す。
【００３５】
発光部１０の交換後、作業者は、支持ケース３０を開放位置から指示位置に移動させつつ、透光部２０の端部２１を支持ケース３０に挿入する。挿入後、冶具９３を用いてねじ５０を回転させて、ねじ５０を上方に移動させる。これに伴って、ロック部５２はロック位置から解除位置に移動する。その後、カバー部７０を取り付けて、照明装置１を使用状態に戻す。
【００３６】
本実施形態に係るエレベータ照明装置１の効果について説明する。
【００３７】
本実施形態によれば、透光部２０は、支持ケース３０により着脱可能に支持されているため、エレベータの可動による振動等によって透光部２０が落下することを防止できる。また、ロック機構４０により、支持ケース３０が透光部２０を支持している状態に制限することができる。そのため、照明装置１の安全性が向上する。
【００３８】
さらに、ロック機構４０は、下方からの操作により上下に移動可能に設けられたねじ５０を有し、ねじ５０の上下移動によって、支持ケース３０を支持位置に制限するか否かを切り替えることができる。そのため、乗りかご内からの透光部２０の着脱作業（すなわち、発光部１０の着脱作業）を容易に行うことができる。
【００３９】
さらに、カバー部７０は、ロック機構４０を下方から覆っているため、ロック機構４０は、露出しておらず、かご内の利用者から視認されない。したがって、照明装置１の意匠性が高く、また、利用者のいたずら等の被害を少なくすることができる。
【００４０】
［第２の実施形態］
本発明に係るエレベータ照明装置の第２の実施形態について、図１２および図１３を用いて説明する。図１２は、本発明の第２の実施形態に係るエレベータ照明装置を説明するための図であって、図１０と同様にエレベータ照明装置の使用状態を示した断面図である。図１３は、本発明の第２の実施形態に係るエレベータ照明装置を説明するための図であって、図１１と同様に透光部の着脱作業状態を示した断面図である。なお、本実施形態は、第１の実施形態の変形例であるため、重複説明を省略する。
【００４１】
本実施形態に係るロック部は、板ばね２５２である。板ばね２５２は、その上端２５４が止め具２５７を介してホルダ４１の上面部４２に回動可能に接続されて、下端２５５が止め具２５８を介してねじ５０の先端に回動可能に接続されている。そして、板ばね５２は、その中間部２５３が支持ケース３０側に湾曲するように設置されている。
【００４２】
図１２に示したように、ねじ５０を上方に移動させた状態では、板ばね２５２の中間部２５３は、支持位置にある支持ケース３０の端面部３３付近（ロック位置）に位置している。一方、図１３に示したように、ねじ５０を下方に移動させた状態では、板ばね２５２の中間部２５３は、開放位置にある支持ケース３０の端面部３３付近（解除位置）に位置している。すなわち、ねじ５０の上方移動に伴って、板ばね２５２が湾曲して、板ばね２５２の中間部２５３が解除位置からロック位置に移動する。
【００４３】
板ばね２５２の中間部２５３がロック位置にある場合には、支持ケース３０は、板ばね２５２の中間部２５３が支持ケースの端面部３３に当接することにより、支持位置に拘束されて、開放位置への移動が制限されている。一方、板ばね２５２の中間部２５３が解除位置にある場合には、支持ケース３０は、支持位置と開放位置との間を移動可能となっている。
【００４４】
本実施形態によっても、第１の実施形態と同様の効果を得ることができる。
【００４５】
［第３の実施形態］
本発明に係るエレベータ照明装置の第３の実施形態について、図１４および図１５を用いて説明する。図１４は、本発明の第３の実施形態に係るエレベータ照明装置を説明するための図であって、図１０と同様にエレベータ照明装置の使用状態を示した断面図である。図１５は、本発明の第３の実施形態に係るエレベータ照明装置を説明するための図であって、図１１と同様に透光部の着脱作業状態を示した断面図である。なお、本実施形態は、第１の実施形態の変形例であるため、重複説明を省略する。
【００４６】
本実施形態に係るロック部は、直線的に延びたステー３５２である。ステー３５２は、その上端３５４が止め具３５７を介してホルダ４１の上面部４２に回動可能に接続されている。ステー３５２は、ねじ５０の先端がステー３５２の中間部３５３に当接することにより、支持ケース３０側に倒れ掛かっている。
【００４７】
図１４に示したように、ねじ５０を上方に移動させた状態では、ステー３５２の下端３５５は、支持位置にある支持ケース３０の端面部３３付近（ロック位置）に位置している。一方、図１５に示したように、ねじ５０を下方に移動させた状態では、ステー３５２の下端３５５は、開放位置にある支持ケース３０の端面部３３付近（解除位置）に位置している。すなわち、ねじ５０の上方移動に伴って、ステー３５２が支持ケース３０側に倒れ掛かり、ステー５２の下端３５５が解除位置からロック位置に移動する。
【００４８】
ステー３５２の下端３５５がロック位置にある場合には、支持ケース３０は、ステー３５２の下端３５５が支持ケースの端面部３３に当接することにより、支持位置に拘束されて、開放位置への移動が制限されている。一方、ステー３５２の下端３５５が解除位置にある場合には、支持ケース３０は、支持位置と開放位置との間を移動可能となっている。
【００４９】
本実施形態によっても、第１の実施形態と同様の効果を得ることができる。
【００５０】
［第４の実施形態］
本発明に係るエレベータ照明装置の第４の実施形態について、図１６および図１７を用いて説明する。図１６は、本発明の第４の実施形態に係るエレベータ照明装置を説明するための図であって、図１０と同様にエレベータ照明装置の使用状態を示した断面図である。図１７は、本発明の第４の実施形態に係るエレベータ照明装置を説明するための図であって、図１１と同様に透光部の着脱作業状態を示した断面図である。なお、本実施形態は、第１の実施形態の変形例であるため、重複説明を省略する。
【００５１】
本実施形態に係るロック部は、コイルばね（コイル状の弾性体）４５２である。コイルばね４５２の下端４５５がねじ５０の先端に固定されている。また、コイルばね４５２の中間部４５３は、ホルダ４１内に設けられた誘導板４５９により曲げられて、コイルばね４５２の上端４５３側は、支持ケース３０に向かって延びている。
【００５２】
図１６に示したように、ねじ５０を上方に移動させた状態では、コイルばね４５２の上端４５４は、支持位置にある支持ケース３０の端面部３３付近（ロック位置）に位置している。一方、図１７に示したように、ねじ５０を下方に移動させた状態では、コイルばね４５２の上端４５４は、開放位置にある支持ケース３０の端面部３３付近（解除位置）に位置している。すなわち、ねじ５０の上方移動に伴って、コイルばね４５２が支持ケース３０側に移動して、コイルばね４５２の上端４５４が解除位置からロック位置に移動する。
【００５３】
コイルばね４５２の上端４５４がロック位置にある場合には、支持ケース３０は、コイルばね４５２の上端４５４が支持ケースの端面部３３に当接することにより、支持位置に拘束されて、開放位置への移動が制限されている。一方、コイルばね４５２の上端４５４が解除位置にある場合には、支持ケース３０は、支持位置と開放位置との間を移動可能となっている。
【００５４】
本実施形態によっても、第１の実施形態と同様の効果を得ることができる。
【００５５】
［第５の実施形態］
本発明に係るエレベータ照明装置の第５の実施形態について、図１８および図１９を用いて説明する。図１８は、本発明の第５の実施形態に係るエレベータ照明装置を説明するための図であって、図１０と同様にエレベータ照明装置の使用状態を示した断面図である。図１９は、本発明の第５の実施形態に係るエレベータ照明装置を説明するための図であって、図１１と同様に透光部の着脱作業状態を示した断面図である。なお、本実施形態は、第１の実施形態の変形例であるため、重複説明を省略する。
【００５６】
本実施形態に係るロック部は、直線的に延びたストッパ５５２である。ストッパ５５２は、一端５６１が止め具５５８を介してねじ５０の先端に固定され、他端５６２が支持ケース３０側に水平に延びている。また、本実施形態に係る支持ケース３０の端面部３３には、避け穴３７が形成されている。
【００５７】
図１０に示したように、ねじ５０を上方に移動させた状態では、ストッパ５５２の他端５６２は、支持位置にある支持ケース３０の端面部３３の外側（ロック位置）に位置している。一方、図１１に示したように、ねじ５０を下方に移動させた状態では、ストッパ５５２の他端５６２は、開放位置にある支持ケース３０の端面部３３の避け穴３７内に挿入されている（解除位置）。
【００５８】
本実施形態によっても、第１の実施形態と同様の効果を得ることができる。なお、本実施形態では、支持ケース３０の端面部３３には、避け穴３７が形成されているが、切欠であっても同様の効果を奏することは言うまでもない。
【００５９】
［第６の実施形態］
本発明に係るエレベータ照明装置の第２の実施形態について、図２０ないし図２３を用いて説明する。図２０は、本発明の第６の実施形態に係るエレベータ照明装置がエレベータの乗りかごの天井に取り付けられた状態を示した平面図（下面図）である。図２１は、本発明の第６の実施形態に係るエレベータ照明装置を説明するための図であって、図１０と同様にエレベータ照明装置の使用状態を示した断面図である。図２２は、本発明の第６の実施形態に係るエレベータ照明装置を説明するための図であって、図１１と同様に透光部の着脱作業状態を示した断面図である。図２３は、図２１のXXIII−XXIII矢視断面図である。なお、本実施形態は、第１の実施形態の変形例であるため、重複説明を省略する。
【００６０】
本実施形態では、図２２に示したように、支持位置にある支持ケース３０の端面部３３は、パネル８０の端面部８３と同一面に配置されている。ロック機構４０およびカバー部７０は、複数のパネル８０間に配置されておらず、側壁９１に隣接した位置に設けられている。そのため、カバー部７０は、天井９０に設けられたブラケット７５に対して着脱可能に取り付けられる。
【００６１】
本実施形態に係るロック部は、カム６５２である。カム６５２は、ねじ５０と同軸的にねじ５０に固定され、ねじ５０の回転に伴って回転する。図１０に示したように、カム６５２の長手方向が支持ケース３０に向かっている場合には、支持ケース３０の移動は制限される。一方、カム６５２の短手方向が支持ケース３０に向かっている場合には、支持ケース３０の移動は許容される。
【００６２】
本実施形態によっても、第１の実施形態と同様の効果を得ることができる。
【符号の説明】
【００６３】
１…エレベータ照明装置、１０…発光部、２０…透光部、２１…透光部の端部、３０…支持ケース、３１…支持ケースの平面部、３２…支持ケースの側面部、３３…支持ケースの端面部、３５，３６…ピン挿入孔、３７…避け穴、４０…ロック機構、４１…ホルダ、４２…ホルダの上面部、４３…ホルダの下面部、４４…ホルダの側面部、４５…ホルダの端面部、４６…貫通孔、４７…ねじ穴部、４８…ねじ穴、５０…ねじ、５２…リンク部材（ロック部）、５３…リンク部材の中間部、５４…リンク部材の上端、５５…リンク部材の下端、５７，５８…止め具、７０…カバー部、７１…カバー部の平面部、７２…カバー部の側面部、７３…カバー部の端面部、７４…爪、７５…ブラケット、８０…パネル、８１…パネルの平面部、８２…パネルの側面部、８３…パネルの端面部、８５，８６…パネルのピン、８７…引掛け孔、９０…天井、９１…側板、９２…冶具、２５２…板ばね（ロック部）、２５３…板ばねの中間部、２５４…板ばねの上端、２５５…板ばねの下端、２５７，２５８…止め具、３５２…ステー（ロック部）、３５３…ステーの中間部、３５４…ステーの上端、３５５…ステーの下端、３５７…止め具、４５２…コイルばね、４５３…コイルばねの中間部、４５４…コイルばねの上端、４５５…コイルばねの下端、４５９…誘導板、５５２…ストッパ（ロック部）、５６１…ストッパの一端、５６２…ストッパの他端、５５８…止め具、６５２…カム（ロック部）、６５８…止め具
【図１】
2011068450.tif 000003
【図２】
2011068450.tif 000004
【図３】
2011068450.tif 000005
【図４】
2011068450.tif 000006
【図５】
2011068450.tif 000007
【図６】
2011068450.tif 000008
【図７】
2011068450.tif 000009
【図８】
2011068450.tif 000010
【図９】
2011068450.tif 000011
【図１０】
2011068450.tif 000012
【図１１】
2011068450.tif 000013
【図１２】
2011068450.tif 000014
【図１３】
2011068450.tif 000015
【図１４】
2011068450.tif 000016
【図１５】
2011068450.tif 000017
【図１６】
2011068450.tif 000018
【図１７】
2011068450.tif 000019
【図１８】
2011068450.tif 000020
【図１９】
2011068450.tif 000021
【図２０】
2011068450.tif 000022
【図２１】
2011068450.tif 000023
【図２２】
2011068450.tif 000024
【図２３】
2011068450.tif 000025